(57)【要約】【課題】結束具で結束する梱包仕様においても、窯業系外装材の上下の実が欠けたりしない梱包形態が得られる窯業系外装材及びその梱包構造を提供するものである。【解決手段】正面と、背面と、上面と、底面と、右側面と、左側面とを有する窯業系外装材であって、該上面及び／又は右側面に下実を有し、該底面及び／又は左側面に上実を有し、該上実の端部の背面側角に面取り部を有することを特徴とする窯業系外装材。また、上記窯業系外装材と、該窯業系外装材を結束する複数の結束具とからなる窯業系外装材の梱包構造で、複数枚積層された窯業系外装材のうち、最上段の窯業系外装材と最下段の窯業系外装材とは互いに正面どうしが対向するように梱包されることを特徴とする窯業系外装材の梱包構造。【選択図】図１
0003129282.tif 000002
【実用新案登録請求の範囲】
【請求項１】
正面と、背面と、上面と、底面と、右側面と、左側面とを有する窯業系外装材であって、該上面及び／又は右側面に下実を有し、該底面及び／又は左側面に上実を有し、該上実の端部の背面側角に面取り部を有することを特徴とする窯業系外装材。
【請求項２】
請求項１に記載の窯業系外装材であって、さらに、前記下実の端部の背面側角に第２の面取り部を有することを特徴とする窯業系外装材。
【請求項３】
前記面取り部及び第２の面取り部は、前記窯業系外装材の厚みの５〜１０％に当たることを特徴とする請求項１又は請求項２に記載の窯業系外装材。
【請求項４】
複数枚積層された窯業系外装材と、該窯業系外装材を結束する複数の結束具とからなる窯業系外装材の梱包構造において、該窯業系外装材は、正面と、背面と、上面と、底面と、右側面と、左側面とを有し、該上面及び／又は右側面に下実を有し、該底面及び／又は左側面に上実を有し、該上実の端部の背面側角に面取り部を有しており、該複数枚積層された窯業系外装材のうち、最上段の窯業系外装材と最下段の窯業系外装材とは互いに正面どうしが対向するように梱包されることを特徴とする窯業系外装材の梱包構造。
【請求項５】
請求項４に記載の窯業系外装材の梱包構造であって、さらに、前記下実の端部の背面側角に第２の面取り部を有することを特徴とする窯業系外装材の梱包構造。
【請求項６】
前記面取り部及び第２の面取り部は、前記窯業系外装材の厚みの５〜１０％に当たることを特徴とする請求項４又は請求項５に記載の窯業系外装材の梱包構造。
【請求項７】
前記結束具はＰＰバンドであることを特徴とする請求項４〜６に記載の窯業系外装材の梱包構造。
【請求項８】
複数枚積層された窯業系外装材と、該窯業系外装材を保護する複数の合紙と、該窯業系外装材を保護する複数の補強材と、該窯業系外装材を結束する複数の結束具とからなる窯業系外装材の梱包構造において、該窯業系外装材は、正面と、背面と、上面と、底面と、右側面と、左側面とを有し、該上面及び／又は右側面に下実を有し、該底面及び／又は左側面に上実を有し、該上実の端部の背面側角に面取り部を有しており、二枚の窯業系外装材の間には合紙が挟まれており、該窯業系外装材の上面、底面側に一対の補強材を有し、複数枚積層された窯業系外装材のうち、最上段の窯業系外装材と最下段の窯業系外装材とは互いに正面どうしが対向するように梱包されることを特徴とする窯業系外装材の梱包構造。
【請求項９】
請求項８に記載の窯業系外装材の梱包構造であって、さらに、前記下実の端部の背面側角に第２の面取り部を有することを特徴とする窯業系外装材の梱包構造。
【請求項１０】
前記面取り部及び第２の面取り部は、前記窯業系外装材の厚みの５〜１０％に当たることを特徴とする請求項８又は請求項９に記載の窯業系外装材の梱包構造。
【請求項１１】
前記補強材はハードボード又は撥水厚紙であり、該結束具はＰＰバンドであることを特徴とする請求項８〜１０に記載の窯業系外装材の梱包構造。
【考案の詳細な説明】
【技術分野】
【０００１】
本考案は、セメント等の窯業系原料を主体とする外装材及びその梱包構造に関するものである。
【背景技術】
【０００２】
従来より、セメント等の窯業系原料を主体として成形される窯業系外装材がある。
この窯業系外装材は、特開平９−０４１６１６号公報のように、一般的には施工状態において、正面（表面）、背面（裏面）、上面、底面、右側面、左側面の６面を有する矩形平板状に形成されており、更に上面及び／又は右側面には上実が、底面及び／又は左側面には下実が形成され、隣接する外装材間において、合じゃくり施工される。
上実、下実とは、窯業系外装材の厚み方向に切り欠き段部として形成された部分であり、正面側に形成されたものを上実、該上実の受部となって背面側に形成されたものを下実と呼ぶ。
合じゃくり施工とは、図６に示すように、下方に配される外装材の下実に、上方に配される外装材の上実を被せて施工し、上下接合部となる目地部の継ぎ目を目立ちにくくする施工方法であり、更には、該目地部からの雨水の侵入を防止する施工方法でもある。
上記合じゃくり施工時、上実の裏面と下実の表面との間には、防水の為に、シーリングが施される。
一般的な実部は、外装材基板成形後にカッターなどの切削機械で切削し形成されるので、角部が非常に鋭くなっている。
そのために、従来より製品である窯業系外装材を移動させたり、施工に供する際に、この角部が衝撃を受けて欠けてしまうことが多々あった。
特に、窯業系外装材を複数枚重ねて梱包する場合、例えば、ＰＰバンド等の結束具を用いて梱包した場合、梱包物を、ＰＰバンドを持って運搬すると、その結束部分に集中荷重が加わってしまい、上下実部にえぐれ状の欠けを発生する危険性があった。
そこで、端部周りに緩衝用補強材を取り付け、その厚みを厚くしたり、堅くしたりすることも考えられるが、その分、物流コストをアップさせ、不経済になることは否めない。
【特許文献１】特開平９−０４１６１６号公報
【考案の開示】
【考案が解決しようとする課題】
【０００３】
本考案は、係る現状に鑑みてなされたものであり、前述したような結束具で結束する梱包仕様においても、窯業系外装材の上下実が欠けたりしない梱包形態が得られる窯業系外装材及びその梱包構造を提供せんとするものである。
【課題を解決するための手段】
【０００４】
上記の課題を解決するために本請求項１に記載の考案に係る窯業系外装材は、正面と、背面と、上面と、底面と、右側面と、左側面とを有する窯業系外装材であって、該上面及び／又は右側面に下実を有し、該底面及び／又は左側面に上実を有し、該上実の端部の背面側角に面取り部を有することを特徴としている。
そのため、結束具によって結束する梱包仕様においても、上実が欠けたりすることがない。
【０００５】
また、本請求項２に記載の考案に係る窯業系外装材は、請求項１に記載の窯業系外装材であって、さらに、前記下実の端部の背面側角に第２の面取り部を有することを特徴としている。
そのため、結束具によって結束する梱包仕様においても、下実が欠けたりすることがない。
【０００６】
また、本請求項３に記載の考案に係る窯業系外装材は、請求項１又は請求項２に記載の窯業系外装材において、前記面取り部及び第２の面取り部は、前記窯業系外装材の厚みの５〜１０％に当たることを特徴としている。
そのため、結束具によって結束する梱包仕様において、結束力が多少ばらついても、結束により上実が欠けたりすることがない。
さらに、角の切削バリが減少するので、端部の塗装適性が向上する。
【０００７】
また、本請求項４に記載の考案に係る窯業系外装材の梱包構造は、複数枚積層された窯業系外装材と、該窯業系外装材を結束する複数の結束具とからなる窯業系外装材の梱包構造において、該窯業系外装材は、正面と、背面と、上面と、底面と、右側面と、左側面とを有し、該上面及び／又は右側面に下実を有し、該底面及び／又は左側面に上実を有し、該上実の端部の背面側角に面取り部を有しており、該複数枚積層された窯業系外装材のうち、最上段の窯業系外装材と最下段の窯業系外装材とは互いに正面どうしが対向するように梱包されることを特徴としている。
そのため、結束具によって結束する梱包構造においても、上実が欠けたりすることがない。
【０００８】
また、本請求項５に記載の考案に係る窯業系外装材の梱包構造は、請求項４に記載の窯業系外装材の梱包構造において、さらに、前記下実の端部の背面側角に第２の面取り部を有することを特徴としている。
そのため、結束具によって結束する梱包構造においても、下実が欠けたりすることがない。
【０００９】
また、本請求項６に記載の考案に係る窯業系外装材の梱包構造は、請求項４又は請求項５に記載の窯業系外装材の梱包構造において、前記面取り部及び第２の面取り部は、前記窯業系外装材の厚みの５〜１０％に当たることを特徴としている。
そのため、結束具によって結束する梱包構造において、結束力が多少ばらついても、結束により上実が欠けたりすることがない。
さらに、角の切削バリが減少するので、端部の塗装適性が向上する。
【００１０】
また、本請求項７に記載の考案に係る窯業系外装材の梱包構造は、請求項４〜６に記載の窯業系外装材の梱包構造において、前記結束具はＰＰバンドであることを特徴としている。
そのため、簡単に梱包構造を得ることができ、しかも経済性に優れる。
【００１１】
また、本請求項８に記載の考案に係る窯業系外装材の梱包構造は、複数枚積層された窯業系外装材と、該窯業系外装材を保護する複数の合紙と、該窯業系外装材を保護する複数の補強材と、該窯業系外装材を結束する複数の結束具とからなる窯業系外装材の梱包構造において、該窯業系外装材は、正面と、背面と、上面と、底面と、右側面と、左側面とを有し、該上面及び／又は右側面に下実を有し、該底面及び／又は左側面に上実を有し、該上実の端部の背面側角に面取り部を有しており、二枚の窯業系外装材の間には合紙が挟まれており、該窯業系外装材の上面、底面側に一対の補強材を有し、複数枚積層された窯業系外装材のうち、最上段の窯業系外装材と最下段の窯業系外装材とは互いに正面どうしが対向するように梱包されることを特徴としている。
そのため、結束具によって結束する梱包構造においても、上実が欠けたりすることがない。
【００１２】
また、本請求項９に記載の考案に係る窯業系外装材の梱包構造は、請求項８に記載の窯業系外装材の梱包構造において、さらに、前記下実の端部の背面側角に第２の面取り部を有することを特徴としている。
そのため、結束具によって結束する梱包構造においても、下実が欠けたりすることがない。
【００１３】
また、本請求項１０に記載の考案に係る窯業系外装材の梱包構造は、請求項８又は請求項９の記載の窯業系外装材の梱包構造において、前記面取り部及び第２の面取り部は、前記窯業系外装材の厚みの５〜１０％に当たることを特徴としている。
そのため、結束具によって結束する梱包構造において、結束力が多少ばらついても、結束により上実が欠けたりすることがない。
【００１４】
また、本請求項１１に記載の考案に係る窯業系外装材の梱包構造は、請求項８〜１０に記載の窯業系外装材の梱包構造において、前記補強材はハードボード又は撥水厚紙であり、該結束具はＰＰバンドであることを特徴としている。
そのため、簡単に梱包構造を得ることができ、しかも経済性に優れる。
【考案の効果】
【００１５】
本考案の窯業系外装材によれば、結束材で結束する梱包仕様においても、窯業系外装材の上実が欠けたりしない梱包形態が得られる窯業系外装材及びその梱包構造を提供することができる。
【考案を実施するための最良の形態】
【００１６】
以下図面を用いて、本考案を実施するための最良の形態を説明する。
【実施例１】
【００１７】
図１は、本考案の窯業系外装材（１）を施工状態として示したときの側面図である。
窯業系外装材（１）の上方には、下実端部（３ｂ）を有する下実（３）が形成されており、その下には、目地底（５）、目地傾斜部（４）が続けて形成され、窯業系外装材（１）の下方には、上実傾斜部（２ｃ）、上実端部（２ｂ）を有する上実（２）が形成されており、上実端部（２ｂ）の背面側角に面取り部（２ａ）が施されている。
この面取り部（２ａ）を施すことで、この角にあったバリがなくなるので、角付近の塗装適性が向上し、そのため、耐透水性の改善、耐凍結融解性の改善となる。
図１において、窯業系外装材（１）のＸ側は正面（表面）であり、Ｙ側は背面（裏面）、Ｐ側は上面、Ｑ側は底面であり、手前側が右側面、奥側が左側面となり、本考案においては、窯業系外装材（１）がどの位置を向いていようとも、前述のとおり定義する。
図２は、本考案の窯業系外装材（１、１´）の上下接合状態を示す断面図である。
下方の窯業系外装材（１´）の下実（３´）の正面側に、上方の窯業系外装材（１）の上実（２）を配置することで、下方窯業系外装材（１´）の目地傾斜部（４´）、目地底（５´）、及び上方窯業系外装材（１）の上実傾斜部（２ｃ）からなる接合目地を形成する。
上実端部（２ｂ）の背面側角に面取り部（２ａ）が形成されているので、もし、雨水が接合目地から進入しても、毛細管現象を起こしにくく、雨水が外に放出しやすい。
また、面取りによって角のバリがなくなるので、施工時の収まりが現在よりもさらに良くなる。
図３は、本考案の別の窯業系外装材（１、１´）の上下接合状態を示す断面図である。
下方の窯業系外装材（１´）の下実（３´）の正面側に、上方の窯業系外装材（１）の上実（２）を配置することで、下方窯業系外装材（１´）の目地傾斜部（４´）、目地底（５´）、及び上方窯業系外装材（１）の上実傾斜部（２ｃ）から、接合目地を形成する。
ここでは、上実端部（２ｂ）の背面側角に面取り部（２ａ）が形成されているので、もし、雨水が接合目地から進入しても、毛細管現象を起こしにくく、雨水が外に放出しやすい。
さらに、下方の窯業系外装材（１´）の下実端部（３ｂ´）の背面側角に第２の面取り部（３ａ´）が形成されているので、もし、雨水が裏面を伝って流れてきても、毛細管現象を起こしにくく、雨水が裏面から接合目地に進入することはない。
【実施例２】
【００１８】
図４は、本考案の窯業系外装材（１）の梱包構造を示す断面図である。
窯業系外装材（１）は、複数積層され、ＰＰバンド等の結束具（１０）で結束され梱包される。
図に示されるように、窯業系外装材（１）の正面どうしを合わせて積層することが好ましい。
これは、正面どうしを合わせず、窯業系外装材（１）の正面の上に、次の窯業系外装材（１）の裏面を積層していくと、窯業系外装材（１）が同じ方向に傾いていく危険性があるので、正面どうしを合わせる、つまり水平な裏面と水平な裏面とを合わせることで、積層の傾きをなくすためである。
この実施例２の梱包構造は、長期的な運搬等の一般的な梱包構造としては、適さないが、一時的な仮置きとして利用できる。
この時、結束具（１０）は、最上段に位置する窯業系外装材（１）の上実端部（２ｂ）、上実端部背面側角の面取り部（２ａ）、背面、下実端部背面側角の面取り部（３ａ）、下実端部（３ｂ）、上から２枚目の上実端部（２ｂ）、上から３枚目の下実端部（３ｂ）、以下同様に複数枚の上実端部（２ｂ）、下実端部（３ｂ）を通り、そして最下段に位置する窯業系外装材（１´）の上実端部（２ｂ´）、上実端部背面側角の面取り部（２ａ´）、背面、下実端部背面側角の面取り部（３ａ´）、下実端部（３ｂ´）、下から２枚目の上実端部（２ｂ）、以下同様に複数枚の下実端部（３ｂ）、上実端部（２ｂ）を通り、そして最上段に位置する窯業系外装材（１）の上実端部（２ｂ）に戻るように結束される。
このとき、特に集中荷重がかかりやすい最上段及び最下段に位置する窯業系外装材（１、１´）の上実端部（２ｂ、２ｂ´）、下実端部（３ｂ、３ｂ´）にそれぞれ面取り加工が施されて上実端部背面側角の面取り部（２ａ、２ａ´）、下実端部背面側角の面取り部（３ａ、３ａ´）が形成されているので、集中荷重が分散され、実が欠けたり、えぐれたりすることがない。
【実施例３】
【００１９】
図５は、本考案の窯業系外装材（１）の別の梱包構造を示す断面図である。
図５（ａ）に示すように窯業系外装材（１）の梱包は、柄形成や塗装が行われている２体の窯業系外装材（１）の正面どうしを合わせて、その間に合紙（２０）が挟んであり、該窯業系外装材（１）の上面、底面側に一対の補強材（３０）がそれぞれ配置してあり、これを１梱包とし、ＰＰバンド等の結束具（１０）で結束する。
補強材（３０）は、ハードボード又は撥水厚紙であることが好ましい。
そして、結束具（１０）は、補強材（３０）を介した上側の窯業系外装材（１）の上実端部背面側角の面取り部（２ａ）、背面、補強材（３０）を介した下実端部背面側角の面取り部（３ａ）、補強材（３０）を介した下側の窯業系外装材（１´）の上実端部背面側角の面取り部（２ａ´）、背面、補強材（３０）を介した下実端部背面側角の面取り部（３ａ´）を通り、補強材（３０）を介した上側の窯業系外装材（１）の上実端部背面側角の面取り部（２ａ）に戻るように結束される。
このとき、特に集中荷重がかかりやすい上下の窯業系外装材（１、１´）の上実端部（２ｂ、２ｂ´）、下実端部（３ｂ、３ｂ´）にそれぞれ面取り加工が施されて上実端部背面側角の面取り部（２ａ、２ａ´）、下実端部背面側角の面取り部（３ａ、３ａ´）が形成されているので、集中荷重が分散され、結束によって実が欠けたり、えぐれたりすることがない。
図５（ａ）の梱包を１梱包とし、図５（ｂ）のように積み重ねてもよい。
また、補強材（３０）を上下実端部に垂直に当接させるために、上実端部（２ｂ）、下実端部（３ｂ）は必要であるので、面取り部（２ａ、３ａ）をあまり大きくし過ぎることは好ましくない。
面取り部（２ａ、３ａ）を大きくし過ぎると、補強材（３０）が垂直に当接せずに、斜めになってしまい、適切な梱包構造が得られない。
さらに、面取り部（２ａ、３ａ）を大きくし過ぎると、上実（２）下実（３）自体の厚みが薄くなってしまって、実が欠ける危険性がある。
したがって、面取り部（２ａ、３ａ）は、窯業系外装材の厚みの５〜１０％に相当することが好ましい。
【００２０】
【表１】
0003129282.tif 000003
【００２１】
表１は、窯業系外装材（１）の上実端部（２ｂ）の背面側角の面取り部（２ａ）の面取り長さと、諸物性との関係を示すものである。
窯業系外装材（１）は、厚さ１６ｍｍのものを使用し、補強材（３０）には、５ｍｍ厚のハードボードを使用した。
それぞれの物性評価は、◎→優れている、○→良い、△→通常製品として正常範囲として評価した。
【００２２】
面取りがない比較例１は、ほぼ通常の範囲である。
それと比べて面取りが１ｍｍ（板厚の６．２５％にあたる）の実施例１は、梱包性、荷運び作業性、塗装適性、施工性のすべてにおいて、比較例１よりも優れている。
面取りが３ｍｍ（板厚の１８．７５％にあたる）の比較例２は、塗装適性は優れていたが、梱包性、荷運び作業性は普通で、特に施工性に関しては面取りが大き過ぎて逆に実が欠ける危険性がある。
したがって、面取り部は、前記窯業系外装材の厚みの５〜１０％に当たることが好ましい。
【図面の簡単な説明】
【００２３】
【図１】本考案の実施例１に係る窯業系外装材を示す側面図
【図２】本考案に係る窯業系外装材の上下接合状態を示す断面図
【図３】本考案に係る窯業系外装材の上下接合状態を示す別の断面図
【図４】本考案の実施例２に係る窯業系外装材の梱包構造を示す断面図
【図５】本考案の実施例３に係る窯業系外装材の梱包構造を示す断面図
【図６】従来の窯業系外装材の上下接合状態を示す断面図
【符号の説明】
【００２４】
１、  １´        窯業系外装材  
２、  ２´        上実
２ａ、２ａ´      面取り部（上実）
２ｂ、２ｂ´      上実端部
２ｃ、２ｃ´      上実斜面部
３、  ３´        下実
３ａ、３ａ´      第２の面取り部（下実）
３ｂ、３ｂ´      下実端部
４                目地傾斜部
５                目地底
１０              結束具
２０              合紙
３０              補強材
【図１】
0003129282.tif 000004
【図２】
0003129282.tif 000005
【図３】
0003129282.tif 000006
【図４】
0003129282.tif 000007
【図５】
0003129282.tif 000008
【図６】
0003129282.tif 000009